(57)【特許請求の範囲】
【請求項１】
防護対象区画毎に設けた火災感知器及び区画選択弁を有し、前記火災感知器が感知した火災感知信号を受信して消火薬剤ユニットから消火薬剤を放出させると共に、前記火災感知信号を受信した防護区画に設けた前記区画選択弁に対して弁開信号を伝送し、当該区画選択弁を開弁状態に制御し、当該区画選択弁の下流側に設けた放出口から、前記消火薬剤ユニットから放出された消火薬剤を放出させる受信装置を備えたパッケージ型自動消火設備システムにおいて、
火災感知時に、防護対象区画毎に設けた火災感知器から出力された火災感知信号を当該火災感知器に割り当てられた機器アドレスを示すアドレス情報に変換し、前記火災感知信号と共に前記受信装置に対して伝送する第１の省配線機器と、火災を感知した防護区画の区画選択弁を開弁状態に制御するための弁開信号と当該区画選択弁に割り当てられた機器アドレスを示すアドレス情報とを前記受信装置から受信し、受信した区画選択弁へのアドレス情報を当該区画選択弁の駆動信号に変換して該当する区画選択弁を駆動する第２の省配線機器とを備え、
前記火災感知器が、火災感知信号を火災感知信号自身と火災感知器に割り当てられた機器アドレスを示すアドレス情報とを共に伝送する第１の火災感知器と、機器アドレス情報の出力機能を持たない第２の火災感知器とからなり、前記第２の火災感知器では、火災感知信号を前記第１の省配線機器により前記第２の火災感知器に割り当てた固有の機器アドレス情報と共に伝送することを特徴とするパッケージ型自動消火設備システム。
【請求項２】
各防護区画内または近傍に設けられ、手動操作により自己に割り当てられた機器アドレス情報を前記受信装置に伝送し、前記火災感知器の火災感知信号に代わる火災感知信号として前記受信装置に入力する手動起動装置を備えることを特徴とする請求項１に記載のパッケージ型自動消火設備システム。
【請求項３】
前記第１の省配線機器は、少なくとも前記第２の火災感知器に割り当てた固有の機器アドレス情報が設定された信号変換テーブルを持つ信号変換器を有し、前記信号変換器は、前記第２の火災感知器からの火災感知信号を受信した場合、前記信号変換テーブルの設定内容を参照して前記火災感知信号の発生元である前記第２の火災感知器の機器アドレス情報に変換し、前記火災感知信号自身と共に前記受信装置へ送信することを特徴とする請求項１に記載のパッケージ型自動消火設備システム。
【請求項４】
火災感知時に作動した火災感知器および全開させた区画選択弁が属する防護区画の位置を防護区画別に建物内の部屋または区画の地図と共に表示する表示手段を備えることを特徴とする請求項１〜３のいずれかに記載のパッケージ型自動消火設備システム。
【発明の詳細な説明】
【技術分野】
【０００１】
本発明は、火災感知器の出力信号または手動操作ボタンなどの操作信号を受けて消火薬剤貯蔵容器に充填された消火薬剤を防護区画に自動的に放出するパッケージ型自動消火設備システムに係り、特に複数の防護区画に設置される感知器出力信号などの配線作業の効率化、工数およびコストの削減などを図ることを可能にしたパッケージ型自動消火設備システム及びパッケージ型自動消火設備システムにおける信号伝送方法に関するものである。
【背景技術】
【０００２】
パッケージ型自動消火設備システムは、火災により生ずる熱、燃焼生成物等を感知し、自動的に消火薬剤を放出して消火を行う固定消火設備であり、その構成は火災感知器、受信装置、消火薬剤ユニット、区画選択弁、放出導管、放出口、非常電源等の機器と配線、配管（放出導管）等から構成される。
消火薬剤ユニットは、消火薬剤が充填された消火薬剤貯蔵容器と、充填された消火薬剤を放出させるための加圧ガス容器と、この加圧ガス容器から加圧ガスを放出させる起動装置とから構成される。
このような消火設備では、検出方式の異なる２種類の感知部を備えた火災感知器を防護区画内に設置し、片方の火災感知器が作動したときは警報を発し、２つとも作動したときは当該防護区画番号等を表示した後、消火薬剤ユニットを起動し、火災が発生した防護区画へ通じる配管経路に設けられた選択弁を開放して消火薬剤を当該区画の放出口から放出するようになっている。
【０００３】
図１０は、複数の防護区画２０１−１〜２０１−ｍ、３０１-１〜３０１−ｍ・・・・６０１−１〜６０１−ｍを防護対象区域として持つパッケージ型自動消火設備システムの構成図である。
このパッケージ型自動消火設備システムは、大別すると、ｎ系列の消火薬剤ユニット（＃１）１０１−１〜（＃ｎ）１０１−ｎと、受信装置１０３、消火薬剤ユニット別のメイン選択弁（ＭＶ＃１−１）〜（ＭＶ＃１−２）、（ＭＶ＃２−１）〜（ＭＶ＃２−２）、・・・・（ＭＶ＃ｎ−１）〜（ＭＶ＃ｎ−２）と、各防護区別の区画選択弁Ｖ１−１〜Ｖ１−ｍ、Ｖ２−１〜Ｖ２−ｍ・・・Ｖｎ−１〜Ｖｎ−ｍと、各防護区別の２種類の火災感知器（Ｓａ）及び（Ｓｂ）とから構成されている。
例えば第１の系列の消火薬剤ユニット（＃１）１０１−１から放出された消火薬剤は消火薬剤配管１０7を通り、メイン選択弁（ＭＶ＃１−１）、（ＭＶ＃１−２）を介して消火薬剤配管１０８ａ，１０８ｂへと導かれるようになっている。消火薬剤配管１０７を２つのメイン選択弁（ＭＶ＃１−１），（ＭＶ＃１−２）で図の左右方向に分岐しているのは、圧力損失の影響により配管長が制限されてしまうことを防ぎ、またユニット（ＭＶ＃１）１０１−１から左右均等に配管を分岐することにより、ユニット１台で防護できる区画を増やすためである。
【０００４】
消火薬剤配管１０８ａに放出された消火薬剤は、区画Ｎｏ．１−１の防護区画２０１−１の区画選択弁Ｖ１−１に入力され、この区画選択弁Ｖ１−１を開くことにより、区画Ｎｏ．１の防護区画２０１−１の部屋に放出される。区画Ｎｏ．１の防護区画の区画選択弁Ｖ１-１は受信装置１０３から出力される弁開信号により開かれる。そして、弁が開いたことを示す応答信号が受信装置１０３に返信される。
【０００５】
受信装置１０３は、防護区画２０１−１における２種類の火災感知器（Ｓａ）及び（Ｓｂ）からの火災感知信号を受け、どちらか一方の火災感知信号が入力された場合には警報を発し、２つの感知信号が入力された場合には防護区画番号を表示し、かつ火災が発生した防護区画へ通じる消火薬剤配管１０７、１０８ａを持つ消火薬剤ユニット（＃１）１０１−１から消火薬剤を放出させ、メイン選択弁（＃１−１）、区画選択弁Ｖ１−１を開放して消火薬剤を放出口から放出させる。
この動作は、いずれの防護区画において火災が感知された場合でも同様であり、火災を感知した火災感知器（Ｓａ）及び（Ｓｂ）からの火災感知信号に基づき、火災発生箇所の防護区画を受信装置１０３が特定し、その特定した防護区画に通じる系列の消火薬剤ユニットから消火薬剤を放出させ、該当する防護区画の区画選択弁を開いて消火薬剤を放出させる。
【０００６】
図１１は、消火薬剤ユニット１０１−１の構成を示す図であり、消火薬剤貯蔵容器１１１（最大２台）と加圧用ガス容器１１２と、起動装置１１３から構成されている。
受信装置１０３から起動装置１１３に対し起動信号を送ると、起動装置１１３が起動し、加圧用ガス容器１１２のガス放出口に設けられた封板を針で破り、加圧ガスを放出させる。放出された加圧ガスは導管１１４を介して消火薬剤貯蔵容器を充圧し、消火薬剤を消火薬剤配管１０７に放出させる。
【０００７】
図１２は、受信装置１０３の外観を示す図であり、装置下側に操作部１０３１が設けられ、その上側には表示部１０３２が設けられている。
表示部１０３２には、感知器が作動したことを表示するランプ１０３３と、区画選択弁が作動していることを示すランプ１０３４が配置されており、これらのランプ１０３３,１０３４によってそれぞれの防護区画における作動状態が分かるようになっている。
類似するこの種のパッケージ型自動消火設備システムの先行技術として下記の特許文献１に開示されたものがある。
【先行技術文献】
【特許文献】
【０００８】
【特許文献１】特許第４６５２１４８号公報
【発明の概要】
【発明が解決しようとする課題】
【０００９】
しかしながら、従来のシステム構成においては、２種類の火災感知器Ｓａ及びＳｂの出力信号をそのまま受信装置１０３に入力する構成になっている。
図１３は、区画Ｎｏ．１の防護区画２０１−１における薬剤放出を行う場合の受信装置１０３との間で送受する各種信号を示す図である。
火災感知器（Ｓａ）及び（Ｓｂ）の出力信号は２本の信号線で出力される構成になっているため、１つの防護区画当たり４本の信号線を敷設することが必要になる。以下、本発明に添付する図面では、配線本数を表す表示形態として、図１３の符号２００で示すように、信号線に跨る斜めの実線の数で表すことにする。符号２００の例では配線本数が２本であることを示している。
従って、防護区画数が例えば「５０区画」であった場合には感知器の信号線だけでも「５０×４＝２００」となる。
図１３に示すように、各防護区画には区画選択弁Ｖ１−１を開くための弁開信号の信号線２本と弁が開いたことを示す受信装置１０３への応答信号の信号線１本が必要になり、合計３本の信号線が必要になる。結果的に、防護区画数が例えば「５０区画」であった場合には、「５０×７＝３５０」本の信号線を敷設することが必要になる。
これらの信号線が敷設される場所は、通常、作業環境が劣悪な天井裏であることが多いため、敷設作業が困難を極め、しかも点検作業も困難となり、極めて非効率で工数が嵩むという問題があった。
また、火災が発生し、消火薬剤を放出する場合に、受信装置１０３の該当区画番号の表示部１０３２に、感知器が作動し、区画選択弁が作動していることをランプ表示しているが、区画番号と部屋番号が一致していない建物構造の場合、防護区画の位置を建物図面等で確認する必要があり、緊急時に迅速な対応が不可能になるという問題があった。
また、消火設備を起動する条件は２つの感知器が２つとも作動した場合であるので、感知器が作動する前に居住者が火事であることを確認して消火設備を起動することができないという問題があった。
なお、図１３における符号１１５は、消火薬剤を防護区画に放出する放出口である。
【００１０】
本発明の目的は、火災感知器等と受信装置との間の配線数を少なくでき、敷設作業や点検作業など敷設に関わるコストを大幅に削減することができるパッケージ型自動消火設備システム及び信号伝送方法を提供することにある。
また、火災発生位置を容易に確認することができるパッケージ型自動消火設備システムを提供することにある。
また、人間の操作により消火設備を起動することができるパッケージ型自動消火設備システムを提供することにある。
【課題を解決するための手段】
【００１１】
上記の目的を達成するために、請求項１に記載の発明は、防護対象区画毎に設けた火災感知器及び区画選択弁を有し、前記火災感知器が感知した火災感知信号を受信して消火薬剤ユニットから消火薬剤を放出させると共に、前記火災感知信号を受信した防護区画に設けた前記区画選択弁に対して弁開信号を伝送し、当該区画選択弁を開弁状態に制御し、当該区画選択弁の下流側に設けた放出口から、前記消火薬剤ユニットから放出された消火薬剤を放出させる受信装置を備えたパッケージ型自動消火設備システムにおいて、火災感知時に、防護対象区画毎に設けた火災感知器から出力された火災感知信号を当該火災感知器に割り当てられた機器アドレスを示すアドレス情報に変換し、前記火災感知信号と共に前記受信装置に対して伝送する第１の省配線機器と、火災を感知した防護区画の区画選択弁を開弁状態に制御するための弁開信号と当該区画選択弁に割り当てられた機器アドレスを示すアドレス情報とを前記受信装置から受信し、受信した区画選択弁へのアドレス情報を当該区画選択弁の駆動信号に変換して該当する区画選択弁を駆動する第２の省配線機器とを備え、前記火災感知器が、火災感知信号を火災感知信号自身と火災感知器に割り当てられた機器アドレスを示すアドレス情報とを共に伝送する第１の火災感知器と、機器アドレス情報の出力機能を持たない第２の火災感知器とからなり、前記第２の火災感知器では、火災感知信号を前記第１の省配線機器により前記第２の火災感知器に割り当てた固有の機器アドレス情報と共に伝送することを特徴とする。
【００１２】
請求項２に記載の発明は、請求項１に記載の、前記各防護区画内または近傍に設けられ、手動操作により自己に割り当てられた機器アドレス情報を前記受信装置に伝送し、前記火災感知器の火災感知信号に代わる火災感知信号として前記受信装置に入力する手動起動装置を備えることを特徴とする。
【００１３】
請求項３に記載の発明は、請求項１に記載の、前記第１の省配線機器は、少なくとも前記第２の火災感知器に割り当てた固有の機器アドレス情報が設定された信号変換テーブルを持つ信号変換器を有し、前記信号変換器は、前記第２の火災感知器からの火災感知信号を受信した場合、前記信号変換テーブルの設定内容を参照して前記火災感知信号の発生元である前記第２の火災感知器の機器アドレス情報に変換し、前記火災感知信号自身と共に前記受信装置へ送信することを特徴とする。
【００１４】
請求項４に記載の発明は、請求項１〜３のいずれかに記載の、火災感知時に作動した火災感知器および全開させた区画選択弁が属する防護区画の位置とを防護区画別に建物内の部屋または区画の地図と共に表示する表示手段を備えることを特徴とする。
【発明の効果】
【００１７】
本発明によれば、複数の防護区域に設置される火災感知器及び区画選択弁に対し、固有の機器アドレスを割り当て（設定し）、火災を感知した場合、感知した火災感知器の感知信号を固有の機器アドレス情報に変換して受信装置に伝送する。これに対し、受信装置から区画選択弁を駆動する場合には、駆動対象の区画選択弁に固有の機器アドレス情報を受信装置から伝送し、このアドレス情報を省配線機器において弁の駆動信号に変換して該当する区画選択弁に入力する。
このように構成することにより、火災感知器と受信装置の間では、第１の省配線機器を介在する伝送線２本で火災感知信号を送受可能になり、接続配線の数が１区画当たり２本となり、大幅に減少するものとなる。
【００１８】
また、区画選択弁と受信装置との間では、第２の省配線機器を介在させた伝送線２本で区画選択弁の選択と駆動信号の送受が可能になり、消火薬剤ユニット系統当たり、僅か２本の接続配線数となり、大幅に減少するものとなる。
具体的には、防護区画が５０区画の場合を想定した場合、従来は合計で３５０本であったものが、僅か４本で済み、大幅に配線数が減少し、敷設作業及び点検作業も極めて容易になり、短時間で終了することができる。
また、火災感知時に作動した火災感知器および全開させた区画選択弁が属する防護区画の位置を防護区画別に建物内の部屋または区画の地図と共に表示する表示手段を設けたことにより、火災が発生した場合でも火災発生位置や消火薬剤の放出が開始された防護区画の位置を容易に確認することができるようになる。
さらに、防護区画内または近傍に設けられた手動起動装置の手動操作により自己に割り当てられた機器アドレス情報を前記受信装置に伝送し、伝送された機器アドレス情報を前記火災感知器の火災感知信号に代わる火災感知信号として用いることにより、手動で消火薬剤の放出を指示することができる。
【図面の簡単な説明】
【００１９】
【図１】本発明に係るパッケージ型自動消火設備システムの実施形態を示すブロック図である。
【図２】図１の各種機器に割り当てる機器アドレスの例を示す図である。
【図３】各防護区画に対応した第１の省配線機器内に設定される信号変換テーブルの例を示す図である。
【図４】複数の防護区画毎に設けられる第２の省配線機器内に設定される区画選択弁アドレス情報変換テーブルの例を示す図である。
【図５】受信装置の主要部の構成を示す概略図である。
【図６】受信装置における表示部に表示する防護区画の建物内の配置図である。
【図７】手動操作により消火薬剤を放出させる場合の各機器の信号のやり取りを示すシーケンス図である。
【図８】火災感知器の感知信号により消火薬剤を放出させる場合の各機器の信号のやり取りを示すシーケンス図である。
【図９】受信装置と第１、第２の省配線機器との間で送受する情報の内容を示す図である。
【図１０】パッケージ型自動消火設備システムにおける機器の接続関係を示す構成図である。
【図１１】図１０における消火薬剤ユニットの詳細構成図である。
【図１２】図１０における受信装置の表示部の表示形式を示す図である。
【図１３】図１０の１つの消火薬剤ユニット系列における区画毎の機器と受信装置との間で送受される信号線の数を詳しく示した図である。
【発明を実施するための形態】
【００２０】
以下、本発明の一実施形態について図面を参照しながら説明する。
図１は、本発明に係るパッケージ型自動消火設備システムの実施形態を示すブロック図である。
図示するように、この実施形態のシステムは、従来と同様に、消火薬剤ユニットと、受信装置、メイン選択弁、消火薬剤配管、区画選択弁を備えたものである。
図１においては、図１０で示したｎ系列の消火薬剤ユニットのうち、第１系列の消火薬剤ユニット１０１−１の系統の機器についてのみ詳細に示している。
従来と異なる点は、火災感知時に、受信装置１０３に対して伝送する火災感知信号を、火災感知信号自身と火災感知器に割り当てられた機器アドレスを示すアドレス情報とを共に伝送する火災感知器Ｓｂを設けると共に、機器アドレス情報の出力機能を持たない火災感知器Ｓａについては火災感知信号自身を新たに設けた省配線機器９０１−１〜９０１−ｍにおいて火災感知器Ｓａ自身に割り当てた固有の機器アドレス情報に変換し、感知系伝送路９６０に送出するように構成したことである。
【００２１】
また、火災発生時に、火災発見者による手動操作により機器アドレス情報を省配線機器９０１−１〜９０１−ｍを介して受信装置１０３に伝送し、伝送された機器アドレス情報を火災感知器の火災感知信号に代わる火災感知信号として用い、手動で消火薬剤の放出を指示する手動起動装置Ｓｃを設けたことである。この手動起動装置Ｓｃは、防護区画内または近傍に設けられる。
さらに、火災を感知した防護区画の区画選択弁Ｖ１−１〜Ｖ１−ｍを開弁状態に制御するための弁開信号と、当該区画選択弁Ｖ１−１〜Ｖ１−ｍに割り当てられた機器アドレスを示すアドレス情報とを受信装置１０３から受信し、受信した区画選択弁アドレス情報を当該区画選択弁Ｖ１-１〜Ｖ１−ｍの駆動信号に変換して該当する区画選択弁に入力する省配線機器群９５１−１〜９５１−ｋを設けたことである。この省配線機器群９５１−１〜９５１−ｋは、防護区画単位ではなく、例えば６区画単位に１個設けられる。この省配線機器群９５１-１〜９５１-ｋは、区画弁制御専用の機器である。
【００２２】
図２は、火災感知器Ｓａ、Ｓｂや区画選択弁Ｖ１−１〜Ｖ１−ｍ、手動起動装置Ｓｃ等に割り当てられる固有の機器アドレス情報ＡＤＲの例を示すものであり、機器別に、ＡＤＲ＝１〜２００までの固有の情報を割り当てている。
これらの情報は、各機器が属する区画Ｎｏ．部屋番号の情報と共に受信装置１０３内の記憶装置Ｍｅｍに登録されている。
【００２３】
なお、省配線機器９０１−１〜９０１-ｍと防護区画とは１対１でなく、１対多の関係に構成することが可能である。
【００２４】
図３は、省配線機器９０１−１〜９０１−ｍにおいて、火災感知器Ｓａ，Ｓｂおよび手動起動装置Ｓｃから出力される火災感知信号、手動操作信号をそれぞれ対応するアドレス情報に変換する信号変換器９７１−１〜９７１−ｍに予め設定された信号変換テーブル９７２−１〜９７２−ｍの例を示す図であり、信号変換テーブル９７２−１には火災感知器Ｓａ，Ｓｂ及び手動起動装置Ｓｃに割り当てられた機器アドレスＡＤＲ＝１、ＡＤＲ＝５１、ＡＤＲ＝１０１が設定されている。
同様に、火災感知器Ｓａ，Ｓｂおよび手動起動装置Ｓｃから出力される火災感知信号、手動操作信号をそれぞれ対応するアドレス情報に変換する信号変換テーブル９７２−ｍには火災感知器Ｓａ，Ｓｂ及び手動起動装置Ｓｃに割り当てられた機器アドレスＡＤＲ＝５０、ＡＤＲ＝１００、ＡＤＲ＝１５０が設定されている。
信号変換器９７１−1〜９７１−ｍは、アドレス情報の伝送機能を持たない火災感知器Ｓａからの火災感知信号を受信した場合、これらの信号変換テーブルの設定内容を参照して火災感知信号の発生元である火災感知器の機器アドレス情報に変換し、火災感知信号（火災感知ＯＮ）自身と共に受信装置１０３宛に送信する。この信号形態を図１の符号９８１で示している。
同様に、信号変換器９７１−１〜９７１−ｍは、アドレス情報の伝送機能を持たない手動操作装置Ｓｃからの手動操作信号を受信した場合、これらの信号変換テーブルの設定内容を参照して手動操作信号の発生元である手動操作装置Ｓｃの機器アドレス情報に変換し、手動操作信号（手動操作ＯＮ）自身と共に受信装置１０３宛に送信する。この信号形態を図１の符号９８３で示している。
これは、火災感知器Ｓａ，Ｓｂが火災を感知しなくなった場合でも、火災不感知信号（火災感知ＯＦＦ）と共に、感知しなくなった火災感知器Ｓａ，Ｓｂの機器アドレス情報と共に受信装置１０３宛に送信する。この信号形態を図１の符号９８２で示している。
また、手動操作による火災報知が終了または中断した場合でも、手動操作が中断してＯＦＦになったことを示す手動操作終了信号（手動操作ＯＦＦ）と共に、手動操作装置Ｓｃの機器アドレス情報を受信装置１０３宛に送信する。この信号形態を図１の符号９８４で示している。
【００２５】
一方、区画操作弁専用の省配線機器群９５１−１〜９５１−ｋには、図４に示すように、区画選択弁の機器アドレス情報ＡＤＲを区画選択弁への駆動信号に変換する信号変換器９６１−１〜９６１−ｋが設けられている。
具体的には、図１の省配線機器群９５１−１は区画Ｎｏ．６までの区画選択弁Ｖ１−１〜Ｖ１−６の駆動信号を管轄するように設定されているため、信号変換器９６１−１には、Ｖ１−１〜Ｖ１−６の機器アドレス情報ＡＤＲ＝１５１〜１５６を受信した場合、それぞれ区画選択弁Ｖ１−１〜Ｖ１−６への駆動信号に変換させる情報が区画選択弁アドレス情報変換テーブル９５０−１〜９５０−ｋに設定されている。
受信装置１０３から省配線機器群９５１−１に属する区画選択弁Ｖ１−１を駆動する場合または駆動を停止させる場合、図９（ｂ）に示すような信号形態の駆動信号を送信する。
すなわち、省配線機器群９５１−１に属する区画選択弁Ｖ１−１を全開するための弁開信号を送信する場合、図９（ａ）の符号９８５で示すように、区画選択弁全開操作情報と区画選択弁アドレス情報ＡＤＲ（＝１５１）とを送信する。逆に省配線機器群９５１−１に属する区画選択弁Ｖ１−１を全閉するための弁閉信号を送信する場合、図９（ａ）の符号９８６で示すように、区画選択弁全閉操作情報と区画選択弁アドレス情報ＡＤＲ（＝１５１）とを送信する。
これらの信号を送信することにより、省配線機器群９５１−１に属する区画選択弁Ｖ１−１を全開または全閉状態に駆動することができる。
【００２６】
これに対し、動作した区画選択弁Ｖ１−１からは全開または全閉状態になったことを示す区画選択弁全開応答情報または全閉応答情報が区画選択弁アドレス情報ＡＤＲと共に受信装置１０３に返信される（図９の９８７，９８８で示す信号形態）。
以上で述べたアドレス情報等は、すべて２本の伝送線を介して時系列パルスによるシリアル形式の信号形態で受信装置１０３との間で送受される。
【００２７】
図７は、手動起動装置Ｓｃを人手により押して消火薬剤ユニット１から消火薬剤を放出させる場合の機器間の信号のやりとりを示すシーケンス図である。
以下、このシーケンス図を参照し、手動起動装置Ｓｃを人手により押して消火薬剤ユニット１から消火薬剤を放出させる場合の各機器および装置の動作あるいは処理を説明する。
まず、手動起動装置Ｓｃを人手により押すと、当該手動起動装置Ｓｃから手動操作したことを示す手動操作ＯＮという手動操作信号が出力され、当該手動起動装置Ｓｃに対応する区画の省配線機器９０１−１に入力される（ステップ７０１）。
省配線機器９０１−１では、入力信号が時系列パルス形式のアドレス情報でないため、手動起動装置Ｓｃが操作されたことを示す手動操作信号であると判定し、図３の信号変換テーブル９７２−１を参照し、当該手動起動装置Ｓｃに割り当てられたアドレス情報ＡＤＲ＝１０１に変換し（ステップ７０２）、受信装置１０３に向けて送信する（ステップ７０３）。
【００２８】
受信装置１０３は、受信したアドレス情報に基づき手動操作された手動起動装置Ｓｃの区画Ｎｏ．を図２の機器アドレス情報の割り当てテーブルを参照して判定し（ステップ７０４）、開放すべきメイン選択弁、区画選択弁を決定する（ステップ７０５）。
次に、開放すべき区画選択弁Ｖ１−１に割り当てられたアドレス情報ＡＤＲ＝１５１を省配線機器群９５１−１に送信する（ステップ７０６）。
省配線機器群９５１−１は、入力されたアドレス情報を解読し、開放すべき区画選択弁を特定する（ステップ７０７）。そして、手動起動操作が行われた区画Ｎｏ．１の区画選択弁Ｖ１−１への駆動信号を生成し（またはアドレス情報を駆動信号に変換し）、区画Ｎｏ．１の区画選択弁Ｖ１―１へ入力する（ステップ７０８）。
【００２９】
これにより、区画Ｎｏ．１の区画選択弁Ｖ１−１が開き始め（ステップ７０９）、全開状態になったならば（ステップ７１０）、リミットスイッチから全開信号が省配線機器群９５１−１に返信される（ステップ７１１）。
省配線機器群９５１−１では、返信された全開信号を区画選択弁Ｖ１−１のアドレス情報に変換し（ステップ７１２）、受信装置１０３に向けて送信する（ステップ７１３）。
受信装置１０３は、区画選択弁Ｖ１−１のアドレス情報を受信したならば当該区画選択弁Ｖ１−１が全開したものと判定し（ステップ７１４）、ステップ７０５で特定したメイン選択弁ＭＶ＃１−１、ＭＶ＃１−２を全開させるための全開駆動信号をメイン選択弁ＭＶ＃１−１、ＭＶ＃１−２に送信する（７１５，７１６）。
【００３０】
これにより、全開駆動信号を受けたメイン選択弁ＭＶ＃１−１、ＭＶ＃１−２が開き始め（ステップ７１７）、全開状態となったならば（ステップ７１８）、リミットスイッチから全開信号が出力され、受信装置１０３に返信される（ステップ７１９）。
受信装置１０３では、返信信号によりメイン選択弁ＭＶ＃１−１、ＭＶ＃１−２が全開したことを判定し（ステップ７２０）、消火薬剤ユニット（＃１）１０１の起動装置１１３に対して起動信号を送信し（ステップ７２１、７２２）、起動装置１１３を起動し（ステップ７２３）、消火薬剤ユニット１０１から消火薬剤を消火薬剤配管１０７に放出させる（ステップ７２４）。
【００３１】
放出された消火薬剤は全開状態となっているメイン選択弁ＭＶ＃１−１、ＭＶ＃１−２及び区画選択弁Ｖ１−１を介して手動起動装置Ｓｃが操作された区画Ｎｏ．１の防護区画に放出される（ステップ７２５）。
以上の動作は他の手動起動装置が手動操作された場合でも同様に行われる。
そして、消火活動の過程では、受信装置１０３の表示部１０３２に、手動操作された手動起動装置Ｓｃや作動している区画選択弁が図６に例示するように、建物内の位置が分かるように表示される。
なお、図６においてＲ１０１〜Ｒ１０９は部屋番号を表している。そして、作動している区画選択弁は符号５０１で示すような記号で表示される。
【００３２】
図８は、感知器ＳａまたはＳｂが火災を感知して消火薬剤ユニット１０１−１から消火薬剤を放出させる場合の機器間の信号のやりとりを示すシーケンス図である。
以下、このシーケンス図を参照し、感知器ＳａまたはＳｂが火災を感知して消火薬剤ユニット１から消火薬剤を放出させる場合の各機器および装置の動作あるいは処理を説明する。
【００３３】
まず、区画Ｎｏ．１の感知器ＳａまたはＳｂが火災を感知した場合、当該火災感知器ＳａまたはＳｂから固有のアドレス情報または火災感知信号が出力され、当該火災感知器ＳａまたはＳｂに対応する区画の省配線機器９０１−１に入力される（ステップ８０１、８０２）。
この場合、アドレス情報を送信可能な感知器Ｓｂが火災を感知した時には、火災感知器Ｓｂに割り当てられたアドレス情報ＡＤＲが省配線機器９０１−１を介さずに直接、感知系伝送路９６０に送出され、この感知系伝送路９６０を通じて受信装置１０３に入力される（ステップ８０４）。
しかし、アドレス情報を送信不可能な火災感知器Ｓａが火災を感知した時には、時系列パルス形式のアドレス情報でないので、当該火災感知器Ｓａに割り当てられたアドレス情報に変換し（ステップ８０５）、受信装置１０３に向けて送信する（ステップ８０６）。
受信装置１０３は、受信したアドレス情報に基づき火災感知器Ｓａが作動した区画Ｎｏ．を判定し（ステップ８０７）、開放すべきメイン選択弁、区画選択弁を決定する（ステップ８０８）。
【００３４】
次に、開放すべき区画選択弁Ｖ１−１に割り当てられたアドレス情報を省配線機器群（Ｇ１）９５１−１に送信する（ステップ８０９）。
以後の動作は、図６における手動起動装置が手動操作された場合と同様である。
これにより、火災感知器ＳａまたはＳｂが火災を感知した場合でも対応する区画に消火薬剤が放出される。
この場合、受信装置１０３の表示部１０３２には、作動している区画選択弁が符号５０１で示すような記号で表示され、火災が発生した部屋番号が建物地図によって明瞭に視認できるように表示される。
【００３５】
なお、火災が発生した部屋番号（区画番号）、または手動起動装置が操作された部屋番号（区画番号）の区画については、鮮明なカラー表示色で点滅表示させ、他の区画と峻別できるようにすることにより、さらに効果的に火災発生個所を報知することができる。
なお、上記実施形態において、省配線機器を中継して火災感知器などのアドレス情報を伝送する場合、中継元または中継先の省配線機器のアドレス情報を付加して伝送するようにしてもよい。省配線機器のアドレス情報を付加した場合、省配線機器のアドレス情報によっていずれの防護区画からの情報であるか、いずれの防護区画への情報であるかを容易に識別することが可能になる。
また、省配線機器群は区画No単位で設けるようにしてもよい。
【符号の説明】
【００３６】
１０１−１    消火薬剤ユニット（＃１）
１０１−ｎ    消火薬剤ユニット（＃ｎ）
１０３        受信装置
ＭＶ＃１  メイン選択弁（＃１）
ＭＶ＃２  メイン選択弁（＃２）
Ｖ１−１〜Ｖ１−ｍ    区画選択弁
Ｓａ  火災感知器
Ｓｂ  火災感知器
Ｓｃ      手動起動装置
１０７    消火薬剤配管
１０８ａ  消火薬剤配管
１０８ｂ  消火薬剤配管
１１１    消火薬剤貯蔵容器
１１２    加圧用ガス容器
１１３    起動装置
１１５    放出口
９５１−１〜９５１−ｋ  省配線機器群
９０１−１〜９０１−ｍ  省配線機器
９６０    感知系伝送路
９７１−１〜９７１−ｍ  信号変換器
９７２−１〜９７２−ｍ  信号変換テーブル
【図１】
0006491510.tif 000002
【図２】
0006491510.tif 000003
【図３】
0006491510.tif 000004
【図４】
0006491510.tif 000005
【図５】
0006491510.tif 000006
【図６】
0006491510.tif 000007
【図７】
0006491510.tif 000008
【図８】
0006491510.tif 000009
【図９】
0006491510.tif 000010
【図１０】
0006491510.tif 000011
【図１１】
0006491510.tif 000012
【図１２】
0006491510.tif 000013
【図１３】
0006491510.tif 000014